Podtech/llm-jp-corpus-v4-ja_patent huggingface dataset:
(57)【要約】【課題】  本発明は、いつでもどこでも、樋部、節、ネジ穴を設けたつなぎ、つなぎ、コーナー部、麺落下防止板、出口部、ネジとネジとレバーを設けた三脚、マジックベルト、ホースの物品を組み立てるだけで、手軽に流しそうめんが楽しめるように工夫した流しそうめん用具を提供する。【解決手段】  樋部（１）、節（２）、ネジ穴（９）を設けたつなぎ（３ａ）、つなぎ（３ｂ）、コーナー部（４）、麺落下防止板（５）、出口部（６）、ネジ（８）とネジ（１０）とレバー（１１）を設けた三脚（７）、マジックベルト（１２）、ホース（１３）の物品を組み合わせた流しそうめん用具。【選択図】図１
2014061249.tif 000002
【特許請求の範囲】
【請求項１】
樋部（１）、節（２）、ネジ穴（９）を設けたつなぎ（３ａ）、つなぎ（３ｂ）、コーナー部（４）、麺落下防止板（５）、出口部（６）、ネジ（８）とネジ（１０）とレバー（１１）を設けた三脚（７）、マジックベルト（１２）、ホース（１３）の物品を組み合わせた流しそうめん用具。
【発明の詳細な説明】
【技術分野】
【０００１】  本発明は、いつでもどこでも、樋部、節、ネジ穴を設けたつなぎ、つなぎ、コーナー部、麺落下防止板、出口部、ネジとネジとレバーを設けた三脚、マジックベルト、ホースの物品を組み立てるだけで、手軽に流しそうめんが楽しめるように工夫した流しそうめん用具に関するものである。
【背景技術】
【０００２】  従来、流しそうめんを楽しむには、竹を切り出し加工したものや、業務用の仕掛けのものを使うのが一般的であった。
【先行技術文献】
【特許文献】
【０００３】
【特許文献１】  登録実用新案第３０３６９１７号公報
【発明の概要】
【発明が解決しようとする課題】
【０００４】  これは、次のような問題点があった。
（イ）太い竹を切り出し、節を取るなど大掛かりな加工をしなければならなかった。
（ロ）使用後はカビてしまうので繰り返し使えず衛生的にも関心できなかった。
（ハ）使用後の竹の保存、処分が困難であった。
本発明は、以上の問題点を解決するためになされたものである。
【課題を解決するための手段】
【０００５】  樋部（１）、節（２）、ネジ穴（９）を設けたつなぎ（３ａ）、つなぎ（３ｂ）、コーナー部（４）、麺落下防止板（５）、出口部（６）、ネジ（８）とネジ（１０）とレバー（１１）を設けた三脚（７）、マジックベルト（１２）、ホース（１３）の物品を組み合わせた流しそうめん用具である。
【発明の効果】
【０００６】  そうめんを流すコースを自由に変化させて楽しむことができる。
また、繰り返し使えて衛生的である。
コンパクトに分解できるので収納も場所をとらず、持ち運びにも便利である。
これまで安易にできなかった流しそうめんを、本発明により、いつでもどこでも何度でも楽しめるようになる。
【図面の簡単な説明】
【０００７】
【図１】  本発明の分解した状態を示した説明図である。
【図２】  本発明の使用状態を示した説明図である。
【図３】  本発明の接続例を示した説明図である。
【図４】  本発明と三脚の接続の仕方を示した説明図である。
【図５】  本発明の部品の接続の仕方を示した説明図である。
【図６】  本発明の部品の接続の仕方を示した説明図である。
【図７】  本発明の部品の説明図である。
【図８】  本発明を収納した状態を示した説明図である。
【図９】  本発明を収納バックに収めたときを示した説明図である。
【発明を実施するための形態】
【０００９】  以下、本発明の実施の形態について説明する。
わん曲状の樋部（１）、麺の流れを調節する節（２）、三脚と接続させるためのネジ穴（９）を設けたつなぎ（３ａ）、樋（１）と樋（１）を接続させるためのつなぎ（３ｂ）、左右に接続可能なコーナー部（４）、麺落下防止板（５）、そうめん出口部（６）、つなぎ（３ａ）の向きを調節するネジ（１０）と傾斜を調節するレバー（１１）を設けた高さを調節することが可能な三脚（７）、マジックベルト（１２）、ホース（１３）の物品を組み合わせた流しそうめん用具。
本発明は以上のように構成された流しそうめん用具である。
本発明の使い方を説明する。
（イ）初めに、つなぎ（３ａ）のネジ穴（９）を三脚（７）のネジ（８）に入れ、回転さ    せながら固定する。
その際、ネジ（１０）でつなぎ（３ａ）の向きを調節し、レバー（１１）でつなぎ    （３ａ）の傾斜を調節する。
また、三脚（７）の脚を伸ばし高さを調節する。
これを、必要な分だけ組み立てる。
（ロ）コースの始まりは、樋部（１）の中央に三脚（７）と接続させたつなぎ（３ａ）を    入れコースを安定させる。
次に、樋部（１）と樋部（１）をつなぎ（３ｂ）で「図５」のようにはめ込むよう    に接続する。
このようにして、樋部（１）とつなぎ（３ｂ）を用いて接続させていき、必要に応    じてつなぎ（３ａ）を使い三脚（７）の上に乗せてコースを安定させる。
（ハ）途中、必要に応じてコーナー部（４）を用いてコースを自由に変化させ、最後に出    口部（６）を接続させる。
（ニ）コーナー部（４）の溝に「図７」のように麺落下防止板（５）を差し込む。
（ホ）出口部（６）の下にバケツ、バケツの中にザルを入れて設置する。
（ヘ）ホース（１３）をマジックベルト（１２）でしっかり固定して、ホース（１３）か    ら水を流し、そうめんを流す。
（ト）使用後は樋部（１）、つなぎ（３ａ）、つなぎ（３ｂ）、コーナー部（４）、麺落    下防止板（５）、出口部（６）をそれぞれ分解し、樋部（１）を重ねた中につなぎ（    ３ａ）とつなぎ（３ｂ）を納め、「図８」のようにマジックベルト（１２）で樋部（    １）の両端をしっかり縛り、コーナー部（４）と出口部（６）と共に収納バック（１    ４）に収める。
【符号の説明】
【０００８】１  樋部
２  節
３ａ  つなぎ
３ｂ  つなぎ
４  コーナー部
５  麺落下防止板
６  出口部
７  三脚
８  ネジ
９  ネジ穴
１０  ネジ
１１  レバー
１２  マジックベルト
１３  ホース
１４  収納バック
【図１】
2014061249.tif 000003
【図２】
2014061249.tif 000004
【図３】
2014061249.tif 000005
【図４】
2014061249.tif 000006
【図５】
2014061249.tif 000007
【図６】
2014061249.tif 000008
【図７】
2014061249.tif 000009
【図８】
2014061249.tif 000010
【図９】
2014061249.tif 000011
(57)【要約】【課題】本発明は琉球古武道の修行に当たり、防具を装着した上で空手道のように危険性のより少ない組手競技を可能にする。【解決手段】本発明は２本の竹刀の先革から竹刀内部に弦を張り柄部分に巻きつけ、必要以上のしなりを抑えた上で樹脂製パイプの両端に挿入することで繋ぎ合せ、目釘で脱落を防止し、さらに樹脂製パイプ部を含む中心部にカバーを装着して接合部境界の凹凸を吸収し操作性を向上させた、木製の従来の六尺棒よりも軽量かつ柔軟にすることで打突時の衝撃を抑えたものである。【選択図】図８
2014061242.tif 000002
【特許請求の範囲】
【請求項１】
弦によってしなりを抑えた２本の竹刀を、樹脂製パイプの両端に挿入固定した事を特徴とする琉球古武道打突試合用竹製六尺棒。
【請求項２】
その棒は合皮等によって作られた外皮を装着し、接合境界部の凹凸を吸収し、操作性を向上させた琉球古武道打突試合用竹製六尺棒。
【発明の詳細な説明】
【技術分野】
【０００１】琉球古武道棒術の直接打撃による競技分野
【背景技術】
【０００２】硬質な樫等の木材を使用した従来の六尺棒では直接打撃競技は危険を伴い不可能と言える。そこでかし木材の代わりに竹材を用い、人体に与える衝撃を少なくし競技の安全性を確保した。
【先行技術文献】
【特許文献】
【０００３】
【特許文献１】特開２００３−３０５１４７
【特許文献２】特開２００７−１８５４６７
【発明の概要】
【発明が解決しようとする課題】
【０００４】琉球古武道において直接打撃競技を行うためには、防具を着用したうえでより危険性の少ない代用武器を作成する必要がある。
【課題を解決するための手段】
【０００５】安全に組手試合を行うためには通常、棒術で使われる単一木製の延べ棒では硬質で重量もあるため、より軽量で柔軟性のある竹刀を加工して用いることにした。板状素材の多角筒状構造により、思い切った十分な練習ができるようにしている。ただしこの点においては、公知技術として特許文献１を挙げることが出来る。【０００６】竹刀の長さ不足を解消するために２本の竹刀を繋ぎ合せる事にした。【０００７】２つの短い棒を中間部分で繋ぎ合せ１つの棒として機能するという点では公知技術として特許文献２を挙げる事が出来るが、この場合接合部の強度不足が懸念されるため、あえて常に一本の棒状であり、２分割して日常的に抜き差しはしない形状とした。
【発明の効果】
【０００８】２本の竹刀を樹脂製パイプに差し込んで繋ぎ合せる事により六尺棒と同等の長さを確保することが可能となり接合部の強度を向上させ、樹脂製パイプ部分は凹凸のないなめらかな棒であることから操作性が向上した。また、打突による衝撃は軽量化と竹材がしなることで吸収し、格段に緩和させることが可能となった。さらに１本あたりの竹刀の長さが短くなったことで棒全体の強度の向上も見られた。
【図面の簡単な説明】
【０００９】
【図１】当六尺棒を上から見た図である。
【図２】竹刀に太い糸を巻く箇所を説明する図である。
【図３】外皮を取り除いた棒本体の図である。
【図４】パイプにより補強される範囲を示す図である。
【図５】先革の固定方法を示す図である。
【図６】先革を固定する弦の処理方法を示す透過図である。
【図７】パイプ上から目釘を打っていることを示す図である。
【図８】パイプ内の接合部分を解説する透過図である。
【図９】外皮の図である。
【発明を実施するための形態】
【００１０】本物件について図面に基づき説明する。
まず図５および図６のように先革から弦を張り竹刀内部を通して柄頭から竹刀外部へ出し、図８−Ｃのように柄革をはずした柄部分に弦を巻きつける。弦は先革の脱落を防止すると同時に、竹刀が必要以上にしならないようにする。さらに、図８のように柄に巻き付け処理することにより樹脂製パイプの中でぐらつき、抜けてしまうのを防ぐパッキンのような役割も果たす。
【００１１】竹刀は図２に示すように糸巻き処理を施し、板状素材がばらけるのを防ぐ。
【００１２】図４のように柄頭側を樹脂等で出来たパイプの両端に差し込み固定する。このことで接合部分を外側から補強することが出来、また、竹の節のない滑らかな状態となり操作性を向上させることが出来る。
【００１３】図７のようにさらに樹脂製パイプ上から目釘を打ち、脱落を防止する。
【００１４】図３の状態になった棒本体の中心部分には上から合皮等で作成した外皮を被せて、接合部境界の凹凸を吸収しさらに操作性向上を図った。図９は外皮の図である。
【符号の説明】
【００１５】Ａ…竹刀先端部
Ｂ…竹刀と樹脂製パイプの接合部
Ｃ…柄頭部の糸巻き処理部
【図１】
2014061242.tif 000003
【図２】
2014061242.tif 000004
【図３】
2014061242.tif 000005
【図４】
2014061242.tif 000006
【図５】
2014061242.tif 000007
【図６】
2014061242.tif 000008
【図７】
2014061242.tif 000009
【図８】
2014061242.tif 000010
【図９】
2014061242.tif 000011
(57)【要約】【課題】  注射する前のアルコール消毒時に、注射針が刺さるという緊張感、恐怖感を和らげる香り付アルコール綿を提供するものである。【解決手段】  綿花を清掃、脱脂、漂白、および成形カットした綿に、香りのある植物の枝、葉、花、および果実から取り出される植物由来の香り成分香料と消毒用アルコールを含浸して得られた香り付アルコール綿で、注射部位をアルコール消毒する時にやわらかく漂う香りを吸入することで緊張感と恐怖感を和らげることを目的とする。【選択図】なし【特許請求の範囲】
【請求項１】
成形カット綿に香り成分香料と消毒用アルコールとを含浸することを特徴とする香り付アルコール綿。
【請求項２】
前記香り成分香料は、香りのある植物の枝、葉、花、および果実から取り出される天然香料から1つの香り成分香料とすることを特徴とする請求項１記載の香り付アルコール綿。
【発明の詳細な説明】
【技術分野】
【０００１】
本発明は、医療機関で注射前に注射部位をアルコール消毒するアルコール綿に関する。
【背景技術】
【０００２】
従来、予防接種などで注射部位を消毒用アルコールを注入しただけの綿花（特許文献１）で、アルコール消毒する時に緊張感、特に子供達は強い恐怖感を持って硬直した心を抱きかかえていた。
【０００３】
本発明の目的は、アルコール消毒時に注射前の緊張感、恐怖感を和らげることである。
【先行技術文献】
【特許文献】
【０００４】
【特許文献１】実開平５−９５５４２号公報
【発明の概要】
【発明が解決しようとする課題】
【０００５】
本発明の課題は、従来からかかえていた注射時の緊張感、恐怖感をアルコール消毒時に和らげるという点が技術課題である。
【０００６】
本発明は、注射前のアルコール消毒時にやわらかく漂う香りで緊張感、恐怖感を和らげるものである。
【課題を解決するための手段】
【０００７】
本願は上述の課題を解決するためになされたものである。成形カット綿に、香りのある植物の枝、葉、花、および果実から取り出される天然香料から1つの香り成分香料と消毒用アルコールとを含浸する香り付アルコール綿である。
【発明の効果】
【０００８】
以上説明したように、本発明によれば以下の効果を得る。
（１）  アルコール消毒時にやわらかく漂う香りで、注射時の緊張感がほぐれる。
（２）  アルコール消毒時に漂う香りの話しをするで、子ども達の恐怖感が和らぐ。
【発明を実施するための形態】
【０００９】
綿花をほぐし、異物除去、脱脂、漂白、および成形カットした綿に、香りのある植物の枝、葉、花、果実から取り出される植物由来の天然香料から1つの香り成分香料と消毒用アルコールとを含浸する香り付アルコール綿である。
【００１０】
香り付アルコール綿の１枚を密封梱包する単包包装式と複数枚を密封梱包するパック包装式にすることで、使用状況に合わせて選択でき香りの蒸発と無駄な使用を抑える効果がある。
(57)【要約】      （修正有）【課題】２０１３年２月２５日米国小児学会が、改訂した急性中耳炎治療ガイドラインに対応する新しい医療を提供する。【解決手段】森雪「シンシアリー（Ｓｉｎｃｅｒｅｌｙ）」、［サクシフラガ・ストロフラ：（匍匐植物の一種）］１の一葉をガーゼに包み下総の石の上で擦り粉木を使って、１７回軽く叩く。柔らかくなったら絞り、猪口に溜まった森雪一葉の絞り汁を、患者の耳孔に注ぐ。綿を千切り、丸めて、患者の耳孔を軽く塞ぐ。患者の頭を枕に移し、十分間待ち、耳孔から、綿を外す。【選択図】図１
2014205655.tif 000002
【特許請求の範囲】
【請求項１】
学名「サクシフラガ・ストロニフラ（Ｓａｘｉｆｒａｇａ  ｓｔｏｌｏｎｉｆｅｒａ）」（匍匐植物の一種）
［フリガナ］シンセツ
命名  森雪「シンシアリー（Ｓｉｎｃｅｒｅｌｙ）」
【請求項２】
本発明者が考案した用具
４．下総の石  ５．  ２５×２５ｃｍのガーゼ  ６．擦り粉木  ７．猪口  ８．綿
各々×１  セット
【請求項３】
本発明者が考案した用法
１．森雪一葉を、５に包む。
２．４の上に、包んだ５を載せる。
３．包んだ５を、６を使って、１７回軽く叩く。
４．柔らかくなった５を、７の上で絞る。
５．患者さまの頭を、施術者の膝の上に載せる。
６．７に溜まった森雪一葉の絞り汁を、患者さまの耳孔に注ぐ。
７．綿を千切り、丸めて、患者さまの耳孔を軽く塞ぐ。
８．患者さまの頭を枕に移し、十分間待つ。
９．患者さまの耳孔から、綿を外して、終了。
【請求項４】
対価１万３千円
【請求項５】
用途
担当の医師が、「アキュート・オティティス・メディア（Ａｃｕｔｅ  Ｏｔｉｔｉｓ  Ｍｅｄｉａ）」（急性中耳炎）と認めた患者さま。
【発明の詳細な説明】
【フリガナ】
シンセツ
【技術分野】
【０００１】  小児医学
【背景技術】
【０００２】  現在の耳鼻咽喉科の医師のする急性中耳炎に関する治療技術
【先行技術文献】
【非特許文献】
【０００３】
【非特許文献１】  ２０１３年２月２５日ＡＡＰ（米国小児学会）が、公開した急性中耳炎（Ａｃｕｔｅ  Ｏｔｉｔｉｓ  Ｍｅｄｉａ）の治療ガイドラインの改訂
【発明の概要】
【発明が解決しようとする課題】
【０００４】  ２０１３年２月２５日ＡＡＰ（Ａｍｅｒｉｃａｎ  Ａｃａｄｅｍｙ  ｏｆ  Ｐｅｄｉａｔｒｉｃｓ）が、公開したＡＯＭの治療ガイドラインの改訂に伴う新しい治療法の開発。
【課題を解決するための手段】
【０００５】  本発明の特許取得。
【発明の効果】
【０００６】  本発明は、特許法第６９条第３項に、該当しない。
【図面の簡単な説明】
【０００７】
【図１】  学名「サクシフラガ・ストロニフラ（Ｓａｘｉｆｒａｇａ  ｓｔｏｌｏｎｉｆｅｒａ）」（匍匐植物の一種）［フリガナ］シンセツ  命名  森雪「シンシアリー（Ｓｉｎｃｅｒｅｌｙ）」
【図２】  ４．下総の石  ５．  ２５×２５ｃｍのガーゼ  ６．擦り粉木  ７．猪口  ８．綿
【発明を実施するための形態】
【０００８】  担当の医師に、急性中耳炎と認められた患者さまは、または、患者さまに保護が必要な場合は、その保護者の方は、その自由意思に基づいて、本発明の治療方法を、本発明者が考案した対価を、本発明者に支払うことによって、一度だけ利用することができる。
【実施例】
【０００９】  １９７５年  山下智弘さん於熊本市立竜南中学校
【産業上の利用可能性】
【００１０】  ２０１３年２月２５日  米国小児学会による急性中耳炎の治療ガイドラインの改訂に伴う需要。
【符号の説明】
【００１１】１．森雪の表面  ２．森雪の裏面  ３．薄紫色  ４．下総の石  ５．  ２５×２５ｃｍのガーゼ  ６．擦り粉木  ７．猪口  ８．綿
【図１】
2014205655.tif 000003
【図２】
2014205655.tif 000004
【手続補正書】
【提出日】平成25年11月18日(2013.11.18)
【手続補正１】
【補正対象書類名】明細書
【補正対象項目名】０００６
【補正方法】変更
【補正の内容】
【０００６】  本発明は、一つの医薬なので、特許法第６９条３項に該当しない。
【手続補正書】
【提出日】平成26年7月16日(2014.7.16)
【手続補正１】
【補正対象書類名】特許請求の範囲
【補正対象項目名】全文
【補正方法】変更
【補正の内容】
【特許請求の範囲】
【請求項１】
学名「サクシフラガ・ストロニフラ（Ｓａｘｉｆｒａｇａ  ｓｔｏｌｏｎｉｆｅｒａ）」（匍匐植物の一種）
［フリガナ］ユキノシタ
雪ノ下  以下  ａと記す。
本発明者が考案した用具
ｂ．下総の石  ｃ．２５×２５ｃｍのガーゼ  ｄ．擦り粉木  ｅ．猪口
各々×１  セット
順序
１．ａ一葉を、ｃに包む。
２．ｂの上に、ａを包んだｃを載せる。
３．包んだｃを、ｄを使って、１７回軽く叩く。
４．柔らかくなったｃを、ｅの上で絞る。
５．ｅの中に残ったサクシフラガ・ストロニフラニン。
【請求項２】
対価５，５００円
理由：ｅｌｅｖｅｎ  ｈａｎｄｒｅｄ×ｏｎｅ  ｂｒａｓｓ  ｃｏｉｎ
イレブンハンドレッド、つまり、１，１００は、旧約聖書で、デリラが、サムソンを敵に売り渡した銀貨の枚数。
つまり、現在の通常の急性中耳炎医療を風刺することを意味し、ｏｎｅ  ｂｒａｓｓ  ｃｏｉｎとは、穴を穿たれた通貨である日本の五円玉であるので、西洋の諺で、魔女が引き起こす病を封じるから。
(57)【要約】【課題】赤ちゃんの肌を害するものから保護するために、特に抱っこ紐（ベビーキャリア）使用時に着用する肌カバーを提供する。【解決手段】装着対象の左右二箇所に輪（２）や市販のひざ掛け用クリップの類（１２）などの土台を装着し、左右分用意した赤ちゃんの腕と脚を覆うに十分な大きさの筒状にした布（９）をそれぞれ土台につなげて吊る。さらに該筒状にした布（９）下部に設けた紐（７）を用いて該筒状にした布（９）同士をつなぐことを特徴とする。【選択図】図１
2014205939.tif 000002
【特許請求の範囲】
【請求項１】
装着対象の左右二箇所に輪（２）や市販のひざ掛け用クリップの類（１２）などの土台を装着し、左右分用意した赤ちゃんの腕と脚を覆うに十分な大きさの筒状にした布（９）をそれぞれ土台につなげて吊る。さらに該筒状にした布（９）下部に設けた紐（７）を用いて該筒状にした布（９）同士をつなぐことを特徴とする肌カバー。
【発明の詳細な説明】
【技術分野】
【０００１】  本発明は、赤ちゃんの肌を害するものから保護するために、特に抱っこ紐（＝ベビーキャリア）使用時に着用する肌カバーに関する。
【背景技術】
【０００２】  抱っこ紐（＝ベビーキャリア）の多くが使用時に手足がむき出しになる形状になっている。従来、むき出し部分の肌を覆うには足つきの衣服や靴下など衣類を着せる、大きな布地で体全体を覆うといった対策があった。また、体全体を覆う形状のケープが防寒目的などで種々提案されている。
【発明の概要】
【発明が解決しようとする課題】
【０００３】  これには、次のような欠点があった。
（イ）日差しや風や虫や砂麈など、広く赤ちゃんの肌を保護することができない。
（ロ）衣類を身につけさせたり大きな布地やケープで覆うことで、不必要に暑くさせる        ことになったり、赤ちゃんの動きを制限させてしまう。
（ハ）大きな布地や防寒用ケープなどは、持ち運ぶ際にかさばる。
（ニ）抱っこ紐で赤ちゃんを抱いた状態では、衣服や靴下など衣類や大きな布地は装着        しにくく、また特に靴下は、装着させた後に落下してなくすおそれがある。
（ホ）ベビーカー使用時も肌保護が必要だが、前述（イ）〜（ハ）同様の問題がある。
前述（ニ）文中記載のような、装着させた靴下が落下してなくすおそれもある。
本発明はこのような欠点をなくすためになされたものである。
【課題を解決するための手段】
【０００４】    装着対象の左右二箇所に輪（２）や市販のひざ掛け用クリップの類（１２）などの土台を装着し、左右分用意した赤ちゃんの腕と脚を覆うに十分な大きさの筒状にした布（９）をそれぞれ土台につなげて吊る。さらに該筒状にした布（９）下部に設けた紐（７）を用いて該筒状にした布（９）同士をつなぐ。
本発明は、以上の構成によりなる肌カバーである。
【発明の効果】
【０００５】    筒状の布に覆うことで、肌に害となるものから広く保護ができる。背中等の必要ない部分の布を排除した左右独立の形状なので不必要に暑くなりづらく、かさばらず、また赤ちゃんは自由に動きやすい。左右に独立し、かつ全て身体の前側で留める形状であるので抱っこ紐で赤ちゃんを抱いた状態からでも装着が容易である。はかせていた靴下が脱げても筒状の布内部に落ちるため遺失することがない。ベビーカー使用時にも転用することができる。
【図面の簡単な説明】
【０００６】
【図１】  本発明の正面図である。
【図２】  本発明をおんぶ紐（＝ベビーキャリア）に装着した際の正面図である。
【図３】  筒状の布（８）（二つの内、おんぶ紐右肩装着分）の斜視図である。
【図４】  輪（２）の正面図である。（当初から輪の形状を成している場合のもの）
【図５】  輪（２）の正面図である。（係合具をつないで形状を成す場合のもの）
【図６】  本発明をベビーカーに装着した際の斜視図である。
【発明を実施するための形態】
【０００７】  以下、本発明を実施するための形態について説明する。
スナップボタンや面ファスナなどの係脱可能な係合具（１）を設けた輪（２）を抱っこ紐（＝ベビーキャリア）（３）の左右二箇所に装着する。該輪（２）は例えばゴムのように当初から輪の形状を成しているもの、ないし、布や紐などにスナップボタンや面ファスナなどの係脱可能な係合具一対（４）を両端に設置してそれらをつなぐことで輪を形成するものでもよい。該輪（２）の係合具（１）と対になるスナップボタンや面ファスナなどの係脱可能な係合具（５）を設けた紐（６）を上部に設け、下部には紐（７）とスリット（８）を設けた赤ちゃんの腕と脚を覆うに十分な大きさの筒状にした布（９）を左右分用意し、左右の該輪（２）を土台にそれぞれつないで吊る。（なおスリット（８）は、抱っこ紐（３）に装着する際により密着させる効果を期待するものである。）さらに該筒状にした布（９）下部に設けた紐（７）を用いて該筒状にした布（９）同士を連結させる。該紐（７）は左右該紐（７）同士を直接結んでも、左右該紐（７）それぞれにスナップボタンや面ファスナなどの係脱可能な係合具一対（１０）を設置して、該係合具（１０）を用いてつないでもよい。
【０００８】  ベビーカー（１１）に転用する場合、輪（２）ないし市販のひざ掛け用クリップの類（１２）を該ベビーカー（１１）左右ニ箇所に装着する。ほか構成は前述［０００７］同様である。
本発明は、以上のような構造である。
【符号の説明】
【０００８】１    スナップボタンや面ファスナなどの係脱可能な係合具（輪（２）に設置）
２    輪
３    抱っこ紐（＝ベビーキャリア）（装着対象）
４    スナップボタンや面ファスナなどの係脱可能な係合具一対（輪（２）を形成）
５    スナップボタンや面ファスナなどの係脱可能な係合具（紐（６）に設置）
６    紐（筒状にした布（９）上部に設置）
７    紐（筒状にした布（９）下部に設置）
８    スリット
９    筒状にした布
１０  スナップボタンや面ファスナなどの係脱可能な係合具一対（紐（７）に設置）
１１  ベビーカー（装着対象）
１２  市販のひざ掛け用クリップの類
【図１】
2014205939.tif 000003
【図２】
2014205939.tif 000004
【図３】
2014205939.tif 000005
【図４】
2014205939.tif 000006
【図５】
2014205939.tif 000007
【図６】
2014205939.tif 000008
(57)【要約】      （修正有）【課題】小さなものをつかんだり、草むしりが可能な手袋を提供する。【解決手段】手袋の指先に硬い爪を付けることにより、小さいものをつかんだり、草むしりが容易に行なうことができる。【選択図】図１
2014205940.tif 000002
【特許請求の範囲】
【請求項１】
手袋の指先に硬い爪を付ける
【発明の詳細な説明】
【発明の詳細な説明】
【技術分野】
【０００１】  本発明は手袋の指先が丸くなっていては小さいものなどをつかむのが不便ですが、指先に硬い爪を付けることによりつかみよくしようとするものです。
【背景技術】
【０００２】  現在販売されている手袋は、布、毛糸、皮、ナイロンなどで造られていますが指先はすべて丸くなっており小さいものをつかむのが不便です。
【発明が解決しようとする課題】
【０００３】  本手袋は指先に硬い爪を付けることにより、従来の指先の丸い手袋では小さいものをつかむ時、なかなかつかめず不便でしたが指先に硬い爪をつけることにより容易につかめるようにしたものです。
【課題を解決するための手段】
【０００４】手袋の指先に硬い爪を付けることにより、ガラスの割れたものや小さなものをつかむのが容易になる
又、人差し指から小指の４本の指先を揃えれば、小さいものをかきあつめるのも容易になる．そして土地にへばりついたり、小さな草の草むしりにも容易につかむことができる。
【発明を実施するための形態】
【０００５】手袋の指先に硬い爪を付けることにより、つかんだり、かきあつめたりする行為を容易にしようと思いついたことで、爪の先端は厚さを薄くして内側はつかんだものがすべるのを防ぐために小さな凹凸をつける。
【発明の効果】
【０００６】手袋の指先に硬い爪を付けることにより、小さいものをつかんだり、かきあつめるのが容易となる。
又、草むしりも容易につかむことができる。さらに今までの手袋は指先が一番先に穴があいたりしたがこれらも防ぐことができる。
【図面の簡単な説明】
【図１】手袋の平面図
【図２】親指と人差し指でつかんだ時
【図１】
2014205940.tif 000003
【図２】
2014205940.tif 000004
(57)【要約】      （修正有）【課題】大量のエネルギー、膨大な資源を使わず、設備投資も巨大にならず、省資源、安価な設備、省エネルギーで、海水等の飽和水蒸気から真水を得るシステムを提供する。【解決手段】天日に暖められた海水等は常に膨大な水蒸気を生み出している。そこで、バスタブ状の容器に砂、石等を入れ、海水等を容器に満たす。この仕掛けをビニールハウス等で覆い、中で発生した水蒸気を逃がさず閉じ込め、ハウス内部に除湿器等を入れて水分を除去し、真水を得る。【選択図】なし【特許請求の範囲】
【発明の詳細な説明】
2014205131.tif 000002
【手続補正書】
【提出日】平成25年6月21日(2013.6.21)
【手続補正１】
【補正対象書類名】明細書
【補正対象項目名】全文
【補正方法】変更
【補正の内容】
【発明の詳細な説明】
【背景技術】
【０００１】中空糸膜、逆浸透膜、イオン交換、フラッシュ蒸発法など海水の淡水化には各種の先行技術がある。
【発明の概要】
【発明が解決しようとする課題】
【０００２】いずれも先行諸技術は、大量のエネルギー、膨大な資源を使う。設備費用も巨大だという欠点があった。そこで、本発明は省資源、安価な設備、省エネルギーで、先行諸技術の欠点をなくすためになされたものである。
【課題を解決するための手段】
【０００３】天日に暖められた海水等は常に膨大な飽和水蒸気を生み出している。この飽和水蒸気をビニールハウス等で、閉じ込める。ハウス等の内部に除湿器等を設置して、直接真水を得ることができる。
【発明の効果】
【０００４】面積１平方メートル当たり約３０グラムの水が含まれるという飽和水蒸気を閉じ込めて、高温多湿状態を維持しながら、除湿器等の稼働で水分を除去すれば、そのまま安全な真水が手に入ることになる。
【手続補正２】
【補正対象書類名】特許請求の範囲
【補正対象項目名】全文
【補正方法】変更
【補正の内容】
【特許請求の範囲】
【請求項１】
バスタブ状の容器に砂、石等を入れ、海水等を容器に満たす。この仕掛けをビニールハウス等で覆い、中で発生した飽和水蒸気を逃がさず閉じ込める。内部に除湿器等を入れて、水分を除去し、真水をえる。
(57)【要約】【課題】濡れたレインウェアを畳んで、小さな収納袋などに収納する作業は、幼い子供などには難しく、大人でも手も濡らしながらで時間がかかり、大変面倒であった。  本発明は、幼い子供でも簡単にレインウェアを収納出来るレインウェア収納具を提供する。【解決手段】レインウェア収納容器の中心部に左右回転自在の巻取り棒を貫通させて設け、前記巻取り棒にレインウェアを連結し、ハンドルを一方向に回転させることにより、レインウェアがレインウェア収納容器内に収納できることを特徴とするレインウェア収納具。【選択図】図２
2014205520.tif 000002
【特許請求の範囲】
【請求項１】
レインウェア収納容器の中心部に左右回転自在の巻取り棒を貫通させて設け、前記巻取り棒にレインウェアを連結し、ハンドルを一方向に回転させることにより、レインウェアがレインウェア収納容器内に収納されることを特徴とするレインウェア収納具。
【請求項２】
レインウェア収納容器のサイドに引き締め部を設け、巻取り棒をスライドするように設け、レインウェア収納容器の厚みが調整可能であることを特徴とする請求項１に記載のレインウェア収納具。
【発明の詳細な説明】
【技術分野】
【０００１】  本発明は、レインウェア収納具に関するものである。
【背景技術】
【０００２】  従来、レインウェアは付属されている小さい収納袋や適当な袋に小さく畳み収納していた。又、雨合羽を筒状容器内に巻き取って収納し、雨天時に筒状容器内から引き出して使用することが特許文献１に記載されている。
【先行技術文献１】
【特許文献】
【０００３】
【特許文献１】特開２００７−１４５０３８号公報
【発明の概要】
【発明が解決しようとする課題】
【０００４】  濡れたレインウェアを畳んで、小さな収納袋などに収納する作業は、幼い子供などには難しく、大人でも手も濡らしながらで時間がかかっていた。
本発明は、以上の問題点を解決する為になされたものである。
【課題を解決するための手段】
【０００５】  レインウェア収納容器の中心部に左右回転自在の巻取り棒を貫通させて設け、巻取り棒にレインウェアを連結し、巻取り棒のハンドルを一方向に回転させることにより、レインウェアがレインウェア収納容器内に収納できる。【０００６】  レインウェア収納容器のサイドに引き締め部を設け、巻取り棒が伸縮することにより、レインウェア収納容器の厚みが調整可能である。
以上の構成よりなるレインウェア収納具。
【発明の効果】
【０００７】  従来、濡れたレインウェアの収納は、場所や手を濡らし、幼い子供には収納しにくいものとされていたが、本発明により、手を濡らさず幼い子供でも簡単にレインウェアを収納することが出来る。
【図面の簡単な説明】
【０００８】
【図１】本発明で使用する一例のレインウェアの背面図
【図２】本発明のレインウェア収納具内部を示す斜視図
【図３】本発明の巻き取り棒の内部を示す断面図
【図４】本発明のレインウェア収納具にレインウェアを巻き取った状態図
【図５】本発明のレインウェア収納具にレインウェアを巻き取る状態図
【図６】本発明の収納容器の斜視図
【発明を実施するための形態】
【０００９】  以下、本発明の実施の形態を説明する。
（イ）図１のレインウェア（１）はポンチョで、背面部中心に収納具接続用のリング（２）を設ける。
（ロ）図２に示すように、レインウェア収納容器（３）の中心にレインウェア巻取り棒（４）を、レインウェア収納容器（３）の片面を貫通させて設け、巻取り棒（４）の接続部（７）はレインウェア収納容器（３）内側の巻取り棒（４）貫通面と対面側に設ける。
（ハ）図２のレインウェア収納容器（３）の内側の巻取り棒（４）中心部にはレインウェアのリング（２）を引掛けるフック（５）を設ける。
（ニ）図３で示すように、巻取り棒（４）はレインウェア収納具接続部（７）で受け、ハンドル（６）部側と巻取り棒受筒（８）側を２分割することによりスライドでき、フック（５）がストッパーとなり抜けない構造とする。
（ホ）巻取り棒（４）はレインウェア収納容器（３）外側に出たハンドル（６）を回すことにより左右に回転自在とし、ハンドル（６）、フック（５）、巻取り棒受筒（８）が一体となって回転する。
（ヘ）図４で示すように、レインウェア収納容器（３）の両サイドには、ベルト（９）とバックル（１０）を設ける。
（ト）レインウェア収納容器（３）の開口部（１２）には上蓋（１４）や、面ファスナー（１１）を設ける。
本発明は以上のような構造である。
【００１０】  本発明を使用する場合は次のようになる。
雨天で使用し濡れたレインウェア（１）を収納するには、レインウェア（１）の背面部に取り付けた収納具接続用リング（２）を、レインウェア収納容器（３）の内側中央の巻取り棒（４）のレインウェア接続用フック（５）に引掛ける。
レインウェア（１）の種類・形状により、リング（２）の取り付け場所は変更することも可能である。
その時、図５で示すように、レインウェア収納容器（３）の開口部（１２）は下に向け、巻取り棒（４）のハンドル（６）を手動で左右どちらか一方向に回転させ、レインウェア（１）を巻き取って収納する。
巻取り棒（４）のハンドル（６）には握りやすいように凸凹のデザインを設けてもよい。
【００１１】  レインウェア（１）を巻き取って膨らんだレインウェア収納容器（３）は、両サイドのベルト（９）で引き締め、巻取り棒（４）のハンドル（６）を押し、巻取り棒（４）を短くコンパクトにし、レインウェア収納容器（３）開口部（１２）の上蓋（１４）を面ファスナー（１１）で閉める。開口部（１２）はスナップ、またはファスナーなどで開閉出来るように変更も可能である。また、両サイドのベルト（９）はテープ状の面ファスナーにして、引き締めたベルトの端を止めておくようにしてもよい。幼い子供向けには両サイドのベルト（９）、バックル（１０）をなくし、ハンドル（６）が押し込めないものとしてもよい。
【００１２】  レインウェア（１）を取り出す時は、レインウェア収納容器（３）の開口部（１２）を開け、両サイドのベルト（９）を緩め、巻き取られたレインウェア（１）の一端を引っ張ることにより、巻取り棒（４）が反回転し、フック（５）をはずせばよい。
【００１３】  さらに本発明は、レインウェア収納容器の形状の変更により、幼稚園バッグ型や、ウエストバッグ型、リュックサック付属型など多種類のバッグに適用することが出来る。また、レインウェアもポンチョや雨合羽、レインズボンなど様々な職業や年齢、サイズ、性別向けに適用することが出来る。
【符号の説明】
【００１４】      １  レインウェア
２  リング
３  収納容器
４  巻取り棒
５  フック
６  ハンドル
７  接続部
８  巻取り棒受筒
９  サイドベルト
１０  バックル
１１  面ファスナー
１２  開口部
１３  肩ベルト
１４  上蓋
【図１】
2014205520.tif 000003
【図２】
2014205520.tif 000004
【図３】
2014205520.tif 000005
【図４】
2014205520.tif 000006
【図５】
2014205520.tif 000007
【図６】
2014205520.tif 000008
(57)【要約】      （修正有）【課題】２穴バインダーでクリップを使用して穴の開いていない書類を綴じるための、２穴バインダー用クリップ留め具を提供する。【解決手段】本体１に、２穴バインダーと同じ間隔の２つの穴２を持ち、２箇所以上のクリップ装着部分３を設けた２穴バインダー用クリップ留め具。【選択図】図１
2014205254.tif 000002
【特許請求の範囲】
【請求項１】
本体に、２穴バインダーと同じ間隔の２つの穴を持ち、２箇所以上のクリップ装着部分を設けた２穴バインダー用クリップ留め具。
【請求項２】
本体に、バインダーと同じ間隔の複数の穴を持ち、２箇所以上のクリップ装着部分を設けたバインダー用クリップ留め具。
【発明の詳細な説明】
【技術分野】
【０００１】
本発明は、２穴バインダーでクリップを使用して穴の開いていない書類を綴じるための、２穴バインダー用クリップ留め具に関するものである。
【背景技術】
【０００２】
従来、２穴バインダーに閉じる場合、穴を開ける必要があるため、穴を開けられない書類は閉じることができなかった。
クリップ１つと、１つの穴とをつなぐアタッチメントがあり、これを２つ使用する方法があった（特許文献１、特許文献２参照）。
【先行技術文献】
【特許文献】
【０００３】
【特許文献１】特開２００７−２６１０４０号広報
【特許文献２】特開２００７−０９０７２０号広報
【発明の概要】
【発明が解決しようとする課題】
【０００４】
次のような問題点があった。
（イ）２つのアタッチメントを使用する場合、２穴バインダーの穴の間隔と同じ間隔に調整して装着するのに手間がかかる。
本発明は、以上の問題点を解決するためになされたものである。
【課題を解決するための手段】
【０００５】
本体に２穴バインダーの穴の間隔と同じ間隔で２つの穴が開けてある。
【発明の効果】
【０００６】
２穴バインダーの穴の間隔と同じ間隔に調整して装着する手間がなくなる。
【図面の簡単な説明】
【０００７】
【図１】本発明の斜視図である。
【図２】本発明にクリップを装着した状態を示した斜視図である。
【図３】本発明の使用状態を示した斜視図である。
【図４】本発明の他の実施例を示した斜視図である。
【発明を実施するための形態】
【０００８】
以下、本発明の実施の形態について説明する。
（イ）本体（１）に２穴バインダーと同じ間隔で２つの穴（２）を設ける。
（ロ）本体（１）に２つのクリップ装着部分（３）を設ける。
（ハ）クリップ（４）を、クリップ装着部分（３）に装着する。
（二）２つのクリップ（４）で資料（５）をさはむ。
（ホ）２つの穴（２）を使用して２穴バインダー（６）に綴じる。
【符号の説明】
【０００９】
１    本体
２    穴
３    クリップ装着部分
４    クリップ
５    資料
６    ２穴バインダー
【図１】
2014205254.tif 000003
【図２】
2014205254.tif 000004
【図３】
2014205254.tif 000005
【図４】
2014205254.tif 000006
(57)【要約】      （修正有）【課題】給湯ポットの吐出し口は、胴体部から、およそ５cm〜６cm離れた位置に固定された構造となっており、茶こしアミ付の急須や、フチが広めの急須にお湯を注ぐ際に、お湯が茶こしアミの中心や、急須の中心に落ちてゆかず、急須を傾けたりしないで、注げる給湯ポットを提供する。【解決手段】いろんな容器に対応してお湯をより容器の中心に落下させるようにする為、吐出し口を固定式ではなく、スライド引出し式として、前方に可動させることによって、お湯を容器のより中心に注ぎ易くする。【選択図】図４
2014083131.tif 000002
【特許請求の範囲】
【請求項１】
吐出し口を前後にスライド可能とした、吐出し口スライド引出し式給湯ポット。
【請求項２】
給湯ポットの吐出し口を前後にスライドさせる為の、円形の筒状の形状をした、外菅（サイズ大）と内菅（サイズ小）を筒状の中でスライドさせる構造。
【発明の詳細な説明】
【技術分野】
【０００１】
給湯ポット吐出し口の形状及び機能に関するもの
【背景技術】
【０００２】
給湯ポットの吐出し口は、固定式となっており、前後に動かせない形状である。
【先行技術文献】
【特許文献】
【０００３】
【特許文献１】特開２００７−２２２５２２号  公報
【発明の概要】
【発明が解決しようとする課題】
【０００４】
従来の吐出し口が固定式の給湯ポットでは、お湯を注ぐ際に、容器の受け口の形状が大きかったり或いは、フチ取りが広いなど、開口部の形状によっては、お湯が中心から外れ、容器の端に落ちていくという事が、しばしば起こってしまう。その為に簡単に言えばお湯が注ぎにくく、その解決方法として容器を傾けて、より中心にお湯が落下するようにすれば、今度は手にお湯が掛かったりして、やけどの危険が生じる。
【課題を解決するための手段】
【０００５】
そこで、吐出し口を必要に応じて前方に引出せるようにし、より安全かつ容易に容器のより中心にお湯を注ぎ易くする為に、吐出し口をスライド引出し式としたものである。
【発明の効果】
【０００６】
給湯ポットの吐出し口を、前方にスライド引出し式とする事によって、容器にお湯が注ぎ易くなり、しかも容器のより中心にお湯が落下するようになる。
【図面の簡単な説明】
【０００７】
【図１】吐出し口を、必要に応じ前方に引出せるように、スライド引出し式とした本発明の図である。
【図２】吐出し口をスライド引出し式とした給湯ポットの詳細図である。
【図３】従来の吐出し口固定式の給湯ポットで、急須や、カップ麺に中心にお湯を落下させようとして、容器を傾けながら、お湯を注いでいる図である。
【図４】本発明のスライド引出し式給湯ポットで、吐出し口を前方に引出しスライドさせ、急須に無理なくお湯をそそいでいる図である。
【図５】本発明のスライド引出し式給湯ポットで、吐出し口を前方に引出しスライドさせ、カップ麺に無理なくお湯をそそいでいる図である。
【図６】本発明のスライド引出し式給湯ポットの、前方に引出し（出）の状態と、通常（引込）の状態を対比した図である。
【図７】従来品の吐出し口固定式の給湯ポットの一般的な図である。
【図８】本発明のスライド引出し式給湯ポットで、吐出し口を通常の引込にしている状態の図である。
【発明を実施するための形態】
【０００８】
実施の形態として、図６に基づいて説明すると、図６の右側の図は、スライド引出し式の引出し前の、通常の引込んだ状態を示している。一方、左側の図は、スライド引出し式によって、吐出し口を引出した状態を示しており、いろんな容器の形状に合わせてスライド引出ししたり（左図）あるいは、引込んだ通常の状態で使用したり（右図）と、どちらでも対応可能となるので利便性が向上する。このスライド式の形態が実施の形態である。
【実施例】
【０００９】
実施例として、図に基づいて、説明すると、図４は、吐出し口をスライド引出しした状態で、急須にお湯を注いでいる図である。また、図５は、同様に、カップ麺にお湯を注いでいる図である。
【産業上の利用可能性】
【００１０】
家庭用給湯ポットの吐出し口を、固定式から、スライド引出し式に変更することによって、お湯を容器に注ぐ際に、より容器の中心に注ぐ事が、より簡単、容易になり、格段に利便性が向上する為、産業の発展に寄与するものと思われる。
【符号の説明】
【００１１】
図２において、符号１は、吐出し口を前後にスライドさせる為のツマミを示している。符号2は、給湯部の菅であるが、スライドするための外菅を示し、符号３は、同様に内菅を示している。符号４は、耐熱用のパッキンを示している。
【図１】
2014083131.tif 000003
【図２】
2014083131.tif 000004
【図３】
2014083131.tif 000005
【図４】
2014083131.tif 000006
【図５】
2014083131.tif 000007
【図６】
2014083131.tif 000008
【図７】
2014083131.tif 000009
【図８】
2014083131.tif 000010
(57)【要約】【課題】結婚式やコンサート等の各種イベントにおいて行う光の演出を、蛍の乱舞のように発光しながら空間を乱舞する演出器具を提供する。【解決手段】紙や発泡スチロール等の軽量な素材を、飛行機型・鳥の形・ハート状・円盤状・三角形など飛行しやすい形状で製作した飛行隊本体に、発光効果のある、蓄光剤・蓄光塗料、または極小型の電球等の光源を貼りつけたり、結び付けたりして取り付けた状態で飛行させる。【選択図】図１
2014083137.tif 000002
【特許請求の範囲】
【請求項１】
紙や発泡スチロール等の軽量素材で、飛行機状や鳥の形、蛍の形、円盤状、ハート型、三角形、星型などの飛行しやすい形状に製作した飛行体に、蓄光シール、蓄光剤、蓄光塗料、極小型のLED電球等の電気式発光体等を貼付または結び付けて飛行させる演出器具。
【請求項２】
発行する飛行体を蛍などの発光しながら飛行する物体に模して、暗転された会場を幻想的に乱舞させ、観客やイベント出席者へより印象深く演出を行う器具である。
【発明の詳細な説明】
【技術分野】
【０００１】
この発明は、結婚式・結婚披露宴やコンサートなどの各種イベント時に蛍が乱舞してる様を模した光の演出に関する。
【背景技術】
【０００２】
従来、結婚式・結婚披露宴・コンサートなどの各種イベントで、風船や紙飛行機、発泡スチロール等で出来た飛行体を活用して空間演出を行う技法は行われている。
【０００３】
従来の演出では、明るい状態または飛行体に照明を当てるなどの手法が取られてきた。
【発明の概要】
【発明が解決しようとする課題】
【０００４】
現状の空間演出としては、風船や紙飛行機などの飛行体そのものを見て効果を与える演出でしかない。
【０００５】
この発明は、上述の演出を更に感動的なものとさせるために、飛行体が発光し、暗くした会場内を飛行させ、恰も蛍が発光しながら乱舞する様を模した演出にするのが目的である。
【課題を解決するための手段】
【０００６】
この発明は、紙や発泡スチロール等の軽量な素材で製作した飛行体に、発光する素材を貼り付けたり、結び付けたりして、暗くした空間をゆらゆらと飛行させる演出である。
【０００７】
飛行体そのものの形状は、紙飛行機状であったり、三角形、円盤状、ハート型や鳥の形、蛍の形など飛行しやすい形状である。
【０００８】
発光する素材は、蓄光シールや蓄光剤・蓄光塗料。または、極小型のLED電球などの電球式の光源を利用する。
【０００９】
飛行体へ発光体を貼り付けたり、または結び付けて、多数の飛行体を暗い空間に飛行させ、蛍の乱舞を模した演出が本発明の手段である。また、貼り付けた発光体は飛行をする際の重りとしても役立っている。
【発明の効果】
【００１０】
この発明により、結婚式・結婚披露宴・コンサートなどの各種イベントにおいて行われる光の演出がより印象的なものとなる。
【００１１】
昼夜問わず、室内においてのイベント時に、暗転状態で蛍の乱舞を模した演出を実行することで、結婚式の出席者やコンサートの参加者に幻想的で印象に残る演出を提供できる。
【図面の簡単な説明】
【００１２】
【図１】(a)-1と(b)-3はハート型の飛行体、(c)-7は紙飛行機型の飛行体、(d)-10は星型の飛行体の図面である。各図面にある、(a)-2、(b)-4.5.6、(c)-8.9、(d)-11は蓄光シールや蓄光塗料などの発光体、または極小型のLED電球等の発光体である。
【発明を実施するための形態】
【００１３】
本発明を実施するには、会場内の天井部分などの高い位置より、当該発明の発光体を貼付した飛行体を、手動または自動の発射台等を使って空間に放出する。
【実施例】
【００１４】
本発明の実施例として、チャペル等での挙式の後に会場を暗転した状態で２階部分や天井などの高い位置から本発明を実施する。
【００１５】
本発明の実施例として、披露宴会場において、暗転した状態で２階部分や天井などの高い位置から本発明を実施する。
【００１６】
本発明の実施例として、コンサート会場等のイベント会場において、会場内を暗転した状態で２階部分や天井などの高い位置から本発明を実施する。
【符号の説明】
【００１７】
(a)-1は、発泡スチロールや紙でできたハート型の飛行体である。(a)-2は飛行体に取り付けられた、蓄光シールや蓄光塗料などの発光体、または極小型のLED電球等の発光体である。
【００１８】
(b)-3は、発泡スチロールや紙でできたハート型の飛行体である。(b)-4.5.6は飛行体に取り付けられた、蓄光シールや蓄光塗料などの発光体、または極小型のLED電球等の発光体である。
【００１９】
(c)-7は、発泡スチロールや紙でできた紙飛行機型の飛行体である。(c)-8.9は飛行体に取り付けられた、蓄光シールや蓄光塗料などの発光体、または極小型のLED電球等の発光体である。
【００２０】
(d)-10は、発泡スチロールや紙でできた星型の飛行体である。(d)-11は飛行体に取り付けられた、蓄光シールや蓄光塗料などの発光体、または極小型のLED電球等の発光体である。
【図１】
2014083137.tif 000003